(57)【要約】【課題】簡素な構成かつ低コストで照明具の軽量化を実現する【解決手段】照明具１０００は、少なくとも一部が外郭部（筐体外周面部２１０）を構成する筒形の第１筐体（外部筐体２）と、第１筐体（外部筐体２）の内部に配置される第２筐体（内部筐体４）とを備えている。第２筐体（内部筐体４）は、光源部５が配置される光源取付部４０と光源取付部４０の周縁部４０２から立設した立設部４５とを有する。光源取付部４０と立設部４５とはともに前記第１筐体（外部筐体２）より比重が大きい板材により成形されている。そして、立設部４５の高さ寸法Ｌ１３が前記光源配置部４００の厚さ以上であり外郭部（筐体外周面部２１０）の高さ寸法Ｌ３の１／２以下である。【選択図】図２
2017188192.tif 000002
【特許請求の範囲】
【請求項１】
一端と他端とを有し、少なくとも一部が外郭部を構成する筒形の第１筐体と、
前記第１筐体の内部に配置される第２筐体であって、光源が配置される光源配置部と前記光源配置部の周縁部から立設されている立設部とを有し、前記光源配置部と立設部とはともに前記第１筐体より比重が大きい板材により構成され、前記立設部の高さ寸法が前記光源配置部の厚さ以上であり前記外郭部の高さ寸法の１／２以下である第２筐体と、
を備えた照明具。
【請求項２】
前記第１筐体は、
少なくとも一部が外郭部を構成する筒形の第１筐体筒部と、
前記一端側において前記第１筐体筒部と離間し前記他端側において前記第１筐体筒部と接続した状態で前記第１筐体筒部の内部に存在する第２筐体筒部と、
前記第１筐体筒部と前記第２筐体筒部とを部分的に接続している接続部と、
を備えた請求項１に記載の照明具。
【請求項３】
前記第２筐体は、前記光源配置部が前記第１筐体の前記一端側を向くように前記第１筐体の内部に配置されている請求項１又は２に記載の照明具。
【請求項４】
前記第２筐体が前記第１筐体に取り付けられた状態で、前記光源配置部が前記第２筐体筒部の一端に形成された開口を覆っている請求項２に記載の照明具。
【請求項５】
前記光源を覆う透光性のカバーを備え、
前記第１筐体は、前記一端に前記カバーが取付けられるカバー取付部を有する請求項１から４のいずれか１項に記載の照明具。
【請求項６】
前記カバーは、前記第１筐体に取り付けられた状態で前記カバー取付部に係合する係合取付部を有する請求項５に記載の照明具。
【請求項７】
前記係合取付部には、係合突起部が形成され、
前記カバー取付部には、突起係合溝が形成され、
前記係合突起部は、前記カバーが前記第１筐体部に取り付けられた状態で前記突起係合溝と係合している請求項６に記載の照明具。
【請求項８】
前記係合取付部には、突起係合溝が形成され、
前記カバー取付部には、係合突起部が形成され、
前記係合突起部は、前記カバーが前記第１筐体部に取り付けられた状態で前記突起係合溝と係合している請求項６に記載の照明具。
【請求項９】
前記第１筐体は、前記他端に、口金が取付けられる口金取付部を有する請求項１から８のいずれか１項に記載の照明具。
【請求項１０】
前記第１筐体の材料は、樹脂であり、前記第２筐体の材料は、金属である請求項１から９のいずれか１項に記載の照明具。
【請求項１１】
前記立設は、屈曲部を１箇所以上有する請求項１から１０のいずれか１項に記載の照明具。
【請求項１２】
請求項１から１１のいずれか１項に記載の照明具と、
前記照明具が取付けられた照明器具と、
を備えた照明装置。
【発明の詳細な説明】
【技術分野】
【０００１】
本発明は、照明具および照明装置に関するものである。
【背景技術】
【０００２】
特許文献１は、「筒状の本体部６１を有する金属製の筐体６０本体を電気絶縁材料からなるカバー８０で覆う」態様であるが、電気絶縁材料からなる樹脂回路ホルダ５０と別体である。
特許文献２〜４は、「筐体カバー１１が絶縁部２０に金属板２１をインサート成形された」態様であるが、照明具の仕様に応じてそれぞれインサート成形条件調整する必要がある。
【先行技術文献】
【特許文献】
【０００３】
【特許文献１】特許第５８２８０９８号公報
【特許文献２】特開２０１５−１８５３８９号公報
【特許文献３】特開２０１５−１８５３９０号公報
【特許文献４】特開２０１５−１８５３９１号公報
【発明の概要】
【発明が解決しようとする課題】
【０００４】
本発明は、簡素な構成かつ低コストで照明具の軽量化を実現することを目的とする。
【課題を解決するための手段】
【０００５】
本発明の照明具は、
少なくとも一部が外郭部を構成する筒形の第１筐体と、
前記第１筐体の内部に配置される第２筐体であって、光源が配置される光源配置部および前記光源配置部の周縁部から立設した立設部を有し、前記光源配置部と立設部とはともに前記第１筐体より比重が大きい板材により構成され、前記立設部の高さ寸法が前記光源配置部の厚さ以上であり前記外郭部の高さ寸法の１／２以下である第２筐体と、
を備えたことを特徴とする。
【発明の効果】
【０００６】
本発明によれば、簡素な構成かつ低コストで照明具の軽量化を実現することができる。
【図面の簡単な説明】
【０００７】
【図１】実施の形態１に係る照明具の組立斜視図。
【図２】実施の形態１に係る照明具の分解斜視図。
【図３】実施の形態１に係る照明具の構造を説明する三面図と断面図。
【図４】実施の形態１に係るカバーの斜視図。
【図５】実施の形態１に係るカバーの構造を説明する三面図と断面図。
【図６】実施の形態１に係る外部筐体の斜視図。
【図７】実施の形態１に係る外部筐体の構造を説明する三面図と断面図。
【図８】実施の形態１に係る内部筐体の斜視図。
【図９】実施の形態１に係る内部筐体の構造を説明する三面図と断面図。
【図１０】実施の形態１に係るカバーと外部筐体の嵌合構造を説明する図。
【図１１】実施の形態１に係る電源部と外部筐体の嵌合構造を説明する図。
【図１２】実施の形態１に係る外部筐体の第１変形例を説明する図。
【図１３】実施の形態１に係る外部筐体の第２変形例、第３変形例を説明する図。
【図１４】実施の形態１に係る外部筐体の第４変形例を説明する図。
【図１５】実施の形態１に係る外部筐体の第４変形例を説明する図。
【図１６】実施の形態１に係る内部筐体の変形例を説明する図。
【図１７】実施の形態１に係る内部筐体の変形例を説明する図。
【図１８】実施の形態１に係る内部筐体の変形例を説明する図。
【図１９】実施の形態１に係る照明具を用いた照明装置を説明する図。
【発明を実施するための形態】
【０００８】
以下、本発明の実施の形態について、図を用いて説明する。なお、以下に説明する実施の形態によって本発明が限定されるものではない。また、以下の図面では各構成部材の大きさの関係が実際のものとは異なる場合がある。また、実施の形態の説明において、上、下、左、右、前、後、表、裏といった方向あるいは位置が示されている場合、それらの表記は、説明の便宜上、そのように記載しているだけであって、装置、器具、部品等の配置や向き等を限定するものではない。
【０００９】
実施の形態１．
＊＊＊構成の説明＊＊＊
図１から図１１を用いて、本実施の形態に係る照明具１０００を説明する。
図１に示すように、照明具１０００の中心軸を軸Ｏとする。
軸Ｏと平行な方向を軸Ｏ方向あるいはＺ方向という。
軸Ｏを中心として、軸Ｏと直交する方向を半径方向又は径方向という。
軸Ｏ方向の長さを高さという。
【００１０】
＜＜＜照明具１０００の説明（図１、図２）＞＞＞
照明具１０００は、カバー１と外部筐体２と口金３とを有する。
照明具１０００は、内部に、内部筐体４と光源部５と電源部６とを有する。
【００１１】
照明具１０００は、具体的には、ＬＥＤを光源として用いた照明ランプであり、外形形状が一般照明用白熱電球（エジソン電球）と同一又は同等のフォルムを有する電球形ランプである。
【００１２】
＜＜＜カバー１の説明（図４、図５）＞＞＞
カバー１は、半球状のカバー主部１０を有する。カバー主部１０は、ＬＥＤから出射される光を透過させる透光部である。
カバー主部１０は、表面となるカバー外周面部１１と裏面となるカバー内周面部１２を有する。
カバー外周面部１１は、曲率半径Ｒ１を有した半球である。
カバー外周面部１１は、照明具１０００の外郭部の一部をなしている。
カバー主部１０は、中心軸０が通過する頂部１３を有する。
カバー主部１０は、外部筐体２の筐体開孔端部２１６と当接する下端部１４を有する。
カバー主部１０の厚み寸法Ｔ１は一定である。しかし、頂部１３側が下端部１４側に対して厚み寸法が小さくなったり、逆に、大きくなったりしてもよい。
頂部１３側が下端部１４側に対して厚み寸法が小さい場合はＬＥＤから出射される光を集中配光する効果を有する。頂部１３側が下端部１４側に対して厚み寸法が大きい場合はＬＥＤから出射される光を広い範囲に配光する効果を有する。
【００１３】
カバー主部１０は、外部筐体２に取り付けられる係合取付部１６を有する。係合取付部１６は外部筐体２に遮られるので、ＬＥＤから出射される光を透過しない領域である。
係合取付部１６は、環状のカバー筒部１７を有する。
カバー筒部１７は、帯状の筒外周面部１７０とリング状の筒下面部１７１を有する。
カバー筒部１７には、係合突起部１８が４箇所形成されている。
係合突起部１８は、外部筐体２に取り付けられる凸型の突起である。
係合突起部１８は、突起外周面部１８０と、突起上面部１８１と、突起側面部１８２と、突起下面部１８３とを有する。
なお、本実施の形態におけるカバー筒部１７には、係合突起部１８が４箇所形成されているが、係合突起部１８は４箇所に限らず、２箇所、３箇所、又は５箇所以上形成されていてもよい。すなわち、カバー筒部１７には、後述する外部筐体２に形成されたカバー取付部２１７の配置に対応して複数の係合突起部１８が形成されていることが好ましい。
【００１４】
＜＜＜外部筐体２の説明（図６、図７）＞＞＞
外部筐体２は、照明具１０００の本体であり、筐体主部２０と口金取付部２６とを有する。筐体主部２０は、外部筐体２の口金取付部２６以外の領域をいう。外部筐体２を第１筐体ともいう。外部筐体２は、茄子形の筒形をしている。筒形とは、外形が円筒又は円錐体に限定されるものではなく、外形が多角柱でもよいし、外形が円錐台、ラッパ形、又は卵形でもよい。
筐体主部２０は、外筒部２１と内筒部２３と接続部２５とを有する。
外筒部２１は、第１筐体筒部ともいう。
内筒部２３は、第２筐体筒部ともいう。
外筒部２１と内筒部２３と接続部２５とは、一体成型されている。
【００１５】
＜＜外筒部２１の説明（図３、図６、図７）＞＞
外筒部２１は、内筒部２３と一体成型されている。
外筒部２１と内筒部２３とは、カバー１が取付けられる一端側では離間し、口金３が取付けられる他端側で接続されている。
外筒部２１は、筐体外周面部２１０を有する。
筐体外周面部２１０は、照明具１０００の外郭表面を形成する面である。
筐体外周面部２１０は、照明具１０００の外郭部の一部をなしている。
筐体外周面部２１０は、カバー１から口金取付部２６に向かって軸Ｏからの半径が小さくなる第１筐体外周面部２１１と第２筐体外周面部２１２と第３筐体外周面部２１３と第４筐体外周面部２１４を有する。
第１筐体外周面部２１１は、カバー１と同じ曲率半径Ｒ１を有する部分である。
第２筐体外周面部２１２は、曲率半径Ｒ２を有する部分である。
第３筐体外周面部２１３は、筒状の部分である。
第４筐体外周面部２１４は、曲率半径Ｒ３を有する部分である。
【００１６】
外筒部２１は、筒状の筐体内周面部２１５を有する。
筐体外周面部２１０と筐体内周面部２１５の端部には、リング状の筐体開孔端部２１６がある。筐体開孔端部２１６は、外筒部２１の筒端部である。
外筒部２１には、カバー取付部２１７が４箇所形成されている。
カバー取付部２１７は、係合突起部１８を取り付ける凹型の窪みである。
カバー取付部２１７は、取付段差部２１８を有する。
取付段差部２１８は、筐体内周面部２１５と直交する環状の面である。
カバー取付部２１７は、取付段差部２１８の周囲４箇所に突起挿入溝２１９と突起係合溝２２０を形成している。
突起挿入溝２１９は、係合突起部１８をＺ方向に挿入する切欠きである。
突起係合溝２２０は、係合突起部１８をスライドさせて収納する凹空間である。
突起係合溝２２０は、係合突起部１８と係合し、係合突起部１８を接着剤で固定する溝である。
なお、本実施の形態における外筒部２１には、カバー取付部２１７が４箇所形成されているが、カバー取付部２１７は４箇所に限らず、２箇所、３箇所、又は５箇所以上形成されていてもよい。すなわち、外筒部２１には、カバー１に形成された係合突起部１８の配置に対応した複数のカバー取付部２１７が形成されていることが好ましい。
【００１７】
＜＜内筒部２３の説明（図６、図７）＞＞
内筒部２３は、外筒部２１の第１筐体外周面部２１１の内部で筒状に形成され、第２筐体外周面部２１２の内部で、外筒部２１と接続されている。
本実施の形態における内筒部２３の軸Ｏ方向の長さは、外筒部２１の軸Ｏ方向の長さの１／２である。
外筒部２１の内部は、カバー１が取付けられる一端側に向かって半径が増加する円錐台状の空間がある。その円錐台状の空間の中央に、円筒状の内筒部２３が配置されているので、内筒部２３と外筒部２１とは、カバー１が取付けられる一端側に向かって次第に離間幅を増加させている。
内筒部２３と外筒部２１との間の空間Ｓ１の軸Ｏをとおる平面による断面形状は、略３角形である。
【００１８】
内筒部２３は、内筒外周面部２３１と内筒内周面部２３２と第１開孔端部２３０とを有する。
内筒外周面部２３１は、外表面を形成する面であり、筒状の面である。
内筒内周面部２３２は、内表面を形成する面であり、筒状の面である。
内筒外周面部２３１と内筒内周面部２３２の端部に、リング状の第１開孔端部２３０がある。第１開孔端部２３０は、内筒部２３の筒端部である。
内筒内周面部２３２の内側には、２個のリブ２３３が形成されている。リブ２３３の先端には、第１開孔端部２３０よりも突出した突出部２３４があり、リブ２３３の先端にはネジ孔２３５がある。
内筒内周面部２３２の内側には、２個の保持部２３６がある。保持部２３６は、点灯回路基板６０を保持するホルダである。保持部２３６は、２個の張出部２３７を有する。２個の張出部２３７は軸Ｏに沿って並立するように内筒内周面部２３２から突出した凸部であり、２個の張出部２３７の間に点灯回路基板６０を保持する溝部２３８を形成している。
【００１９】
＜＜接続部２５の説明（図６、図７）＞＞
筐体主部２０には、接続部２５が４箇所形成されている。
接続部２５は、外筒部２１と内筒部２３とに少なくとも部分的に接続されたブリッジであり、外部筐体２の構造を補強するものである。
接続部２５は、外筒部２１の筐体内周面部２１５と内筒部２３の内筒外周面部２３１との間にある空間Ｓ１に存在している板であり、略３角形の板である。
接続部２５の厚み寸法は、外部筐体２の強度を含む照明具１０００の仕様に応じて決定される。
接続部２５は、端部に当接端面部２５０を有する。当接端面部２５０は、後述する内部筐体４の接続面部４３が当接する面である。
本実施の形態では接続部２５が４箇所に設けられているが接続部２５の個数は４個に限定されない。
【００２０】
＜＜口金取付部２６の説明（図６、図７）＞＞
口金取付部２６は、口金３が螺着されるネジ部であり、外部筐体２において筐体主部２０以外の領域である。
口金取付部２６は、端部に第２開孔端部２６０を有する。
【００２１】
＜＜口金３の説明（図２）＞＞
照明具１０００は、口金３を有する。
口金３は、照明具１０００の外郭部の一部をなしている。
口金３は、ネジ部３０とアイレット部３１とを有する。
【００２２】
＜＜＜内部筐体４の説明（図８、図９）＞＞＞
外部筐体２は、内部に内部筐体４を有する。
内部筐体４は、円盤形状をしており、蓋型形状をしている。
内部筐体４は、金属材料の板材を折り曲げて形成したものである。金属材料の好適な例は、アルミニウムである。
内部筐体４は、光源回路基板５０が配置される基台である。内部筐体４を第２筐体ともいう。
内部筐体４は、ＬＥＤ素子の実装信頼性と放熱性とを確保するための部品である。
【００２３】
内部筐体４は、光源取付部４０と立設部４５とを有する。
内部筐体４は、光源取付部４０が外部筐体２の一端側を向くように外部筐体２の内部に配置されている。
内部筐体４は、外部筐体２に取り付けられた状態で、光源取付部４０が内筒部２３の一端側に形成された開口を覆っている。
【００２４】
本実施の形態における光源取付部４０は、円形の光源配置部４００を有する。光源配置部４００は、円形の配置領域４０１と周縁部４０２とを有する。
配置領域４０１は、平面が維持された領域であり、配置領域４０１に円形の光源回路基板５０が配置される。
周縁部４０２は、配置領域４０１の周囲にある環状の部分である。
光源配置部４００には、２個のネジ挿通孔４０３が形成されている。ネジ挿通孔４０３に外部筐体２のリブ２３３の突出部２３４が挿入されることにより内部筐体４が外部筐体２に位置決めされる。
光源配置部４００の中央側には、出力電線対挿通孔４０４が形成されている。出力電線対挿通孔４０４は、内部筐体４の外部筐体２への取付けに際し、出力電線対９１を通過させる貫通孔である。出力電線対挿通孔４０４は、後述する光源回路基板５０に形成された出力電線対挿通孔５０２と連通するように光源配置部４００に形成されている。
なお、光源取付部４０及び配置領域４０１は円形に限定されず、多角形であってもよい。また、光源回路基板５０は、放熱性を優先する場合には配置領域４０１の形と相似形とすることが好ましく、経済性を優先する場合には配置領域４０１と異なる形の光源回路基板５０を配置領域４０１内に配置してもよい。
【００２５】
立設部４５は、光源取付部４０の周囲に形成された部分である。立設部４５の半径方向の断面は、Ｕ字形をしている。
立設部４５は、第１立設筒部４１と第２立設筒部４２と接続面部４３を有する。
第１立設筒部４１は、光源取付部４０の周囲に形成された内筒部である。
第２立設筒部４２は、第１立設筒部４１に周囲に形成された外筒部である。
接続面部４３は、第１立設筒部４１と第２立設筒部４２とを接続した底面部分であり、リング形状をしている。
内部筐体４は、半径方向に３箇所の環状の屈曲部を有している。
第１の屈曲部Ｋ１により、光源取付部４０と第１立設筒部４１とが直交している。
第２の屈曲部Ｋ２により、第１立設筒部４１と接続面部４３とが直交している。
第３の屈曲部Ｋ３により、接続面部４３と第２立設筒部４２とが直交している。あるいは鈍角で接続されている。
第２立設筒部４２の軸Ｏ方向の長さは、第１立設筒部４１の軸Ｏ方向の長さより大きく、第２立設筒部４２の端部は、光源取付部４０よりも高い位置にある。第２立設筒部４２の端部は、筐体開孔端部２１６より低く取付段差部２１８より高い位置になる。
【００２６】
立設部４５は、第１立設筒部４１と第２立設筒部４２と接続面部４３とに囲まれた空間Ｓ４を形成している。空間Ｓ４は、環状の空間である。空間Ｓ４の上は、カバー１の内部空間と連続している。
【００２７】
ここで、本実施の形態における外部筐体２の接続部２５は、内部筐体４の接続面部４３が当接するように寸法と形とが決定されている。接続面部４３は、接続部２５の当接端面部２５０に当接し、内部筐体４の取付けに際し、内部筐体４が傾かないようにしている。内部筐体４が傾いて装着される可能性がないのであれば、接続面部４３と当接端面部２５０は、離間した状態で組み立てられてもよい。
【００２８】
＜＜＜光源部５の説明（図２）＞＞＞
照明具１０００は、内部に光源部５を有する。
光源部５は、光源回路基板５０と光源素子５１とを有する。
光源回路基板５０は、光源素子５１を実装する実装部５００と、光源素子５１の熱を放熱する熱伝達部５０１を有する。
光源回路基板５０には、２個のネジ挿通孔５０３がある。ネジ挿通孔５０３にネジ７が挿入されて、内部筐体４と光源回路基板５０とが共に外部筐体２に位置決め固定される。
光源回路基板５０の中央側には、出力電線対挿通孔５０２がある。出力電線対挿通孔５０２は、出力電線対９１を通過させる貫通孔である。出力電線対挿通孔５０２は、光源回路基板５０が配置領域４０１に配置された状態で、光源配置部４００に形成された出力電線対挿通孔４０４と連通するように光源回路基板５０に形成されている。
光源素子５１は、光源回路基板５０の実装部５００に少なくとも１個配置され、出力電線対９１から電力の供給を受けて発行する。光源素子５１の、好適な具体例は、ＬＥＤである。
【００２９】
＜＜＜電源部６の説明（図２）＞＞＞
外部筐体２は、内部に電源部６を有する。
電源部６は、点灯回路基板６０と、点灯回路基板６０に搭載された点灯回路部品６１とを有する。
電源部６には、電線９が接続される。
電線９は、電力を供給する入力電線対９０と出力電線対９１とを有する。
入力電線対９０は、口金３と電源部６とを電気接続し、照明具１０００の外部から商用交流電力の外部電力が電源部６に入力される経路となる。
出力電線対９１は、電源部６と光源部５とを電気接続し、電源部６で生成された、光源素子５１を点灯させる点灯電力が光源部５に出力される経路となる。
【００３０】
＜＜＜材料の説明＞＞＞
外部筐体２は、内部筐体４より比重が小さい材料を使用する。
内部筐体４は、外部筐体２より比重が大きい材料を使用する。
好適には、外部筐体２は、金属より比重が小さい樹脂材料を使用し、内部筐体４は、樹脂より比重が大きい金属材料を使用する。
【００３１】
＜＜＜長さ寸法の説明（図３、図５、図７、図１０、図１１）＞＞＞
図３、図５、図７、図１０、図１１を用いて、各部の長さ寸法を説明する。
Ｗ１＝照明具１０００、カバー１、及び、外部筐体２の最大径
Ｗ２＝外部筐体２の第３筐体外周面部２１３の径
Ｗ３＝カバー１のカバー筒部１７の筒外周面部１７０の外径
Ｗ４＝対向する突起外周面部１８０の間隔
Ｗ５＝外部筐体２の外筒部２１の筐体内周面部２１５の最大径
Ｗ６＝接続部２５の当接端面部２５０がある筐体内周面部２１５の径
＝接続部２５の最大径
Ｗ７＝外部筐体２の内筒部２３の内径
Ｗ７１＝外部筐体２の内筒部２３の外径
Ｗ８＝外部筐体２の内筒部２３の対向する保持部２３６の間隔
Ｗ９＝口金取付部２６の内径＝第２開孔端部２６０の開口径
Ｗ１０＝口金取付部２６の外径
Ｗ１１＝２個の張出部２３７の根本間隔
Ｗ１２＝２個の張出部２３７の先端間隔
Ｗ１３＝２個の張出部２３７の外側間隔
Ｗ１４＝第２立設筒部４２の最大径＝内部筐体４の外径
Ｗ１５＝第２立設筒部４２の最小径
Ｗ１６＝第１立設筒部４１の外径
Ｗ１７＝第１立設筒部４１の内径
Ｗ６７＝立設部４５の総長
＝第１立設筒部４１の長さＷ６９＋第２立設筒部４２の長さＬ１３＋接続面部４３の長さＷ６８
Ｗ６８＝立設部４５の半径方向の幅＝接続面部４３の長さ
Ｗ１８＝係合突起部１８の半径方向の長さ＝突起上面部１８１の半径方向の長さ
Ｗ１９＝カバー１の下端部１４におけるカバー内周面部１２の半径−内部筐体４の第２立設筒部４２の半径
【００３２】
Ｌ１＝照明具１０００の軸Ｏ方向の長さ
Ｌ２＝カバー１のカバー主部１０の軸Ｏ方向の長さ
Ｌ３＝外部筐体２の筐体主部２０の軸Ｏ方向の長さ
Ｌ４＝口金３の軸Ｏ方向の長さ
Ｌ５＝カバー１の係合取付部１６の軸Ｏ方向の長さ
Ｌ６＝外部筐体２の口金取付部２６の軸Ｏ方向の長さ
Ｌ７＝外部筐体２の軸Ｏ方向の長さ
Ｌ８＝外部筐体２と筐体開孔端部２１６とリブ２３３の先端との軸Ｏ方向の高さの差
Ｌ８１＝突出部２３４の高さ
Ｌ９＝外部筐体２の内筒部２３の第１開孔端部２３０から保持部２３６の上端部までの軸Ｏ方向の長さ
Ｌ１０＝外部筐体２の取付段差部２１８から筐体開孔端部２１６までの軸Ｏ方向の長さ
Ｌ１１＝外部筐体２の取付段差部２１８と当接端面部２５０との軸Ｏ方向の高さの差
Ｌ１２＝外部筐体２の内筒部２３の保持部２３６の軸Ｏ方向の長さ
Ｌ１３＝立設部４５の高さ寸法＝内部筐体４の軸Ｏ方向の長さ
【００３３】
Ｒ１＝図３の（ｂ）のカバー１のカバー主部１０のカバー外周面部１１の外郭線の曲率半径
＝図３の（ｂ）の外部筐体２の第１筐体外周面部２１１の外郭線の曲率半径
Ｒ２＝図３の（ｂ）の外部筐体２の第２筐体外周面部２１２の外郭線の曲率半径
Ｒ３＝図３の（ｂ）の外部筐体２の第４筐体外周面部２１４の外郭線の曲率半径
Ｒ４＝口金３の半径
Ｒ５＝内部筐体４の最大半径
Ｒ６＝内部筐体４の第１立設筒部４１の内半径
Ｒ７＝内部筐体４の第１立設筒部４１の外半径
【００３４】
θ１＝カバー１の下端におけるカバー内周面部１２の軸Ｏの方向に対する角度＝９０度
θ２＝外部筐体２の内筒部２３の保持部２３６の軸Ｏの方向に対する角度
θ３＝外部筐体２の内筒部２３の保持部２３６の水平断面における外面立設角度
θ４＝外部筐体２の内筒部２３の保持部２３６の水平断面における内面立設角度
【００３５】
Ｔ１＝カバー１のカバー主部１０の厚み寸法
Ｔ２＝点灯回路基板６０の厚み寸法
【００３６】
長さ寸法の関係は以下のとおりである。
Ｗ１＞Ｗ４＞Ｗ３＞Ｗ５＞Ｗ６＞Ｗ７＞Ｗ８＞Ｗ２＞Ｗ９＞Ｗ１０
Ｗ１３＞Ｗ１２＞Ｗ１１
Ｗ１４＞Ｗ１５＞Ｗ１６＞Ｗ１７
Ｗ１８＞Ｗ１９
Ｌ１＝Ｌ２＋Ｌ３＋Ｌ４
Ｗ１＝２×Ｒ１＝２×Ｌ２
Ｗ２＝２×Ｒ４
Ｒ１≧Ｒ２≧Ｒ３
Ｗ１４＝２×Ｒ５
Ｗ１６＝２×Ｒ７
Ｗ１７＝２×Ｒ６
【００３７】
＜＜＜内部筐体４の構成の説明（図７、図９）＞＞＞
【００３８】
第２立設筒部４２の最大径Ｗ１４は、内部筐体４の最大径であり、第２立設筒部４２の最小径Ｗ１５より大きい。
内部筐体４の最大径＝Ｗ１４＞Ｗ１５
第２立設筒部４２の最大径Ｗ１４は、外部筐体２の外筒部２１の筐体内周面部２１５の最大径Ｗ５以下である。
Ｗ１４≦Ｗ５
第２立設筒部４２の最小径Ｗ１５は、接続部２５の当接端面部２５０がある筐体内周面部２１５の径Ｗ６以下である。
Ｗ１５≦Ｗ６
内部筐体４の第１立設筒部の内径Ｗ１７は、外部筐体２の内筒部２３の内筒外周面部２３１の径Ｗ７１以上である。
Ｗ１７≧Ｗ７１
内部筐体４の接続面部４３の半径方向の長さは、接続部２５の当接端面部２５０の半径方向の長さ以下である。
【００３９】
したがって、内部筐体４の立設部４５は、外部筐体２の外筒部２１の筐体内周面部２１５の内側で、かつ、外部筐体２の内筒部２３の内筒外周面部２３１の外側のある空間Ｓ２に収納できる形状になっている。
内部筐体４の立設部４５が空間Ｓ２に収納されると、内部筐体４の立設部４５の第２立設筒部４２の外周面が、外部筐体２の外筒部２１の筐体内周面部２１５に接するので、外部筐体２に外圧がかけられた場合、金属材料で製造された立設部４５が内側にあるので、外部筐体２の変形破壊を防ぐことができる。
外部筐体２は、樹脂材料で製造されており弾性があるので、内部筐体４の立設部４５の第２立設筒部４２の外周面と外部筐体２の外筒部２１の筐体内周面部２１５との間に隙間があってもかまわない。
このように、立設部４５の第２立設筒部４２には、外部筐体２の剛性を補強する機能がある。
【００４０】
内筒部２３には電源部６があるため電源部６の回路部品を保護するため、光源部５からの熱を内筒部２３に伝えにくくする方が好ましい。
そこで、内部筐体４の第１立設筒部の内径Ｗ１７を外部筐体２の内筒部２３の内筒外周面部２３１の径Ｗ７１より大きくして、第１立設筒部の内周面と内筒部２３の内筒外周面部２３１との間に空間Ｓ３を設ける。
Ｗ１７＞Ｗ７１
第１立設筒部４１の内周面と内筒部２３の内筒外周面部２３１との間に空間Ｓ３を設ければ、内部筐体４と内筒部２３とは、内筒部２３の端面とリブ２３３のみで接することになり、光源部５からの熱が内筒部２３に伝わりにくくなる。
また、空間Ｓ３は、空間Ｓ１と連続しており、立設部４５からの放熱を促進する。
【００４１】
立設部４５の高さ寸法Ｌ１３は、外部筐体２の取付段差部２１８と当接端面部２５０との軸Ｏ方向の高さの差Ｌ１１より大きい。
Ｌ１３＞Ｌ１１
したがって、内部筐体４の立設部４５が空間Ｓ２に収納されて、当接端面部２５０の上に内部筐体４が接触して取り付けられた場合に、図１０の（ｂ）のとおり、内部筐体４の第２立設筒部４２の上端は取付段差部２１８の高さよりも高い位置になる。
【００４２】
また、立設部４５の高さ寸法Ｌ１３は、内部筐体４の高さ寸法と同じ値であり、立設部４５の高さ寸法Ｌ１３は、内部筐体４に使用された板厚の４倍である。
すなわち、立設部４５の高さ寸法Ｌ１３を、内部筐体４の光源取付部４０の光源配置部４００の軸Ｏの方向の厚さより大きくする。立設部４５の高さ寸法Ｌ１３を、内部筐体４に使用された板厚より大きくすることにより、立設部４５の表面積と体積とが増加して光源部５からの放熱が促進される。
立設部４５の高さ寸法Ｌ１３は、内部筐体４の光源取付部４０の光源配置部４００の軸Ｏの方向の厚さの２倍以上にするのが好ましい。さらには、放熱性の観点からは、４倍以上、８倍以上、１０倍以上が好ましい。
【００４３】
立設部４５の高さ寸法Ｌ１３は、筐体外周面部２１０の高さ寸法Ｌ３の１／５である。高さ寸法Ｌ１３と高さ寸法Ｌ３の比は、１／４、１／３でもよく、高さ寸法Ｌ１３と高さ寸法Ｌ３の比は、１／２以下が好ましい。
高さ寸法Ｌ１３を高さ寸法Ｌ３の１／２以下にする理由は以下のとおりである。
１．光源部５により近い部分に内部筐体４を集中させると放熱効率が高い。
２．今後さらに光源の効率向上が進むと内部筐体４を小型化できる。
３．照明具１０００を軽量化できかつ小型化できる。
このように、高さ寸法Ｌ１３は、内部筐体４の光源配置部４００の厚さ以上であり、高さ寸法Ｌ１３と高さ寸法Ｌ３の比は、１／２以下が好ましい。
【００４４】
図９の（ｄ）を用いて、立設部４５の長さについて説明する。
立設部４５の総長Ｗ６７は、第１立設筒部４１の長さＷ６９＋第２立設筒部４２の長さＬ１３＋接続面部４３の長さＷ６８である。
Ｗ６７＝Ｗ６９＋Ｌ１３＋Ｗ６８
立設部４５の総長Ｗ６７は、内部筐体４の外径Ｗ１４の１／３である。
Ｗ６７＝Ｗ１４／３
立設部４５の総長Ｗ６７は、立設部４５の幅Ｗ６８の２倍である。
Ｗ６７＝Ｗ６８×２
内部筐体４の外径Ｗ１４は、第１立設筒部４１の内径Ｗ１７に立設部４５の幅Ｗ６８を２個加算したものである。
Ｗ１４＝Ｗ１７＋Ｗ６８＋Ｗ６８
【００４５】
内部筐体４に立設部４５を設けないで内部筐体４を平面円板で構成した場合は、直径がＷ１７からＷ１４に増加するだけであるのに対して、立設部４５を設ける場合は、立設部４５を形成する前の平面円板の直径はＷ１７＋Ｗ６７＋Ｗ６７である。
立設部４５なしの直径＝Ｗ１４＝Ｗ１７＋Ｗ６８×２
立設部４５ありの直径＝Ｗ１７＋Ｗ６７＋Ｗ６７＝Ｗ１７＋Ｗ６８×２＋Ｗ６８×２
立設部４５ありの直径は、立設部４５なしの直径と比べてＷ６８×２だけ増加する。
立設部４５ありの直径−立設部４５なしの直径＝Ｗ６８×２
【００４６】
半径で説明すると、第１立設筒部４１の外半径Ｒ７に立設部４５の幅Ｗ６８を加算したものが、内部筐体４の最大半径Ｒ５である。
Ｒ５＝Ｒ７＋Ｗ６８
内部筐体４に立設部４５を設けないで内部筐体４を平面円板で構成した場合は、半径がＲ７からＲ５に増加するだけであるのに対して、立設部４５を設ける場合は、立設部４５を形成する前の平面円板の半径はＲ７＋Ｗ６７である。
立設部４５なしの半径＝Ｒ５＝Ｒ７＋Ｗ６８
立設部４５ありの半径＝Ｒ７＋Ｗ６７＝Ｒ７＋Ｗ６９＋Ｌ１３＋Ｗ６８
立設部４５ありの半径は、立設部４５なしの半径と比べてＷ６９＋Ｌ１３だけ増加する。
立設部４５ありの半径−立設部４５なしの半径＝Ｗ６９＋Ｌ１３
すなわち、第１立設筒部４１の長さＷ６９＋第２立設筒部４２の長さＬ１３だけ、半径が増大する。
【００４７】
このように、立設部４５を設けることにより、内部筐体４の表面積を増大させることができる。
立設部４５の総長Ｗ６７は、長いほどよく、内部筐体４の外径Ｗ１４の１／３以上が望ましく、１／２あるいは１／１がより好ましい。同様に、立設部４５の総長Ｗ６７は、立設部４５の幅Ｗ６８の２倍以上が望ましく、３倍以上あるいは４外以上がより好ましい。
【００４８】
立設部４５の内側には空間Ｓ４があり、第１立設筒部４１の内面には空間Ｓ３があり、接続面部４３の下方には空間Ｓ１があり、立設部４５から空間Ｓ３と空間Ｓ４と空間Ｓ１に放熱される。
このように、第２立設筒部４２の外周面を除き、立設部４５の表面と裏面には放熱用の空間が配置されている。第２立設筒部４２の外周面の外側にも隙間あるいは空間を設けてもよい。
【００４９】
＜＜＜内部筐体４の製造方法の説明＞＞＞
内部筐体４は、金属の板材を成形加工して製造する。内部筐体４は、ダイキャストを用いて製造されたものではない。
内部筐体４の製造方法の具体例は、１枚の板材を「プレス」、「絞り」で成形する方法と、それぞれ独立した光源取付部４０と立設部４５とを「かしめ」、「溶接」で接続する方法である。
【００５０】
＜＜＜カバー１と外部筐体２の固定構造と固定方法の説明（図１０）＞＞＞
図１０の（ａ）により、カバー１と外部筐体２の固定方法を説明する。
カバー１を外部筐体２に取り付ける場合、まず、突起係合溝２２０に柔らかい接着剤８を塗布する。
次に、係合突起部１８を突起挿入溝２１９に対応させてカバー１を外部筐体２に軸Ｏ下方向に押し付ける。係合突起部１８が突起挿入溝２１９を通過してから、カバー１を時計回りに回転させ、係合突起部１８を突起係合溝２２０の奥までスライドさせ、係合突起部１８と突起係合溝２２０との隙間に柔らかい接着剤８を浸入させる。その後、接着剤８を乾燥固化させる。
【００５１】
図１０の（ｂ）により、カバー１と外部筐体２の固定構造を説明する。
カバー１と外部筐体２とは、突起係合溝２２０の対向する各部には隙間Ｍが生じるように形成されている。すなわち、係合突起部１８の突起外周面部１８０の半径は、突起係合溝２２０の内面半径よりも小さい。
隙間の半径方向の長さ＝突起係合溝２２０の内面半径−突起外周面部１８０の半径
このように、突起係合溝２２０の対向する各部には隙間Ｍが設けられており、ともに樹脂材料であるカバー１と外部筐体２との間に押圧力を発生させないようにしている。すなわち、カバー１と外部筐体２とは押しあうことがなく、カバー１と外部筐体２との組立により変形することがない。
また、組立時には、隙間Ｍにカバー１を外部筐体２に固定するための柔らかい接着剤８が浸入し、アンカー効果によって外部筐体２に対してカバー１を強固に固着させている。
また、図１０の（ｂ）の係合突起部１８の上下にある隙間Ｎも隙間Ｍと同様である。
【００５２】
前述したように、内部筐体４の第２立設筒部４２の上端は取付段差部２１８の高さよりも高い位置にある。
すなわち、立設部４５の第２立設筒部４２の上端部が、カバー１の係合取付部１６の全内周側に存在する。
さらに、図１０の（ｂ）のＷ１８とＷ１９には、以下の関係がある。
Ｗ１８＞Ｗ１９
Ｗ１８が、Ｗ１９より大きいので、カバー１が軸Ｏと交わる方向に変形した場合、カバー内周面部１２が第２立設筒部４２の外周に当たり、カバー内周面部１２の変形が規制される。したがって、カバー１が、外部筐体２から外れることがないし、破壊されることがない。
【００５３】
＜＜＜電源部６と外部筐体２の固定構造と固定方法の説明（図７、図１１）＞＞＞
図７、図１１により、電源部６と外部筐体２の固定構造を説明する。
電源部６は、外部筐体２の保持部２３６により固定される。保持部２３６は、対向して配置されている。
図７の（ｄ）に示すように、保持部２３６は、対向して２箇所のあり、ともに軸Ｏを通る平面の左側に設けられている。左側に偏って設けられている理由は、電源部６が点灯回路基板６０の一方の面に他方の面よりも高さのある点灯回路部品６１を搭載しているからである。
対向する保持部２３６を結ぶ直線と、対向するリブ２３３を結ぶ直線とは、直交している。
【００５４】
保持部２３６は、それぞれ並立した２個の張出部２３７を有し、２個の張出部２３７の間に軸Ｏを平行な溝部２３８が形成されている。
対向する２箇所の溝部２３８の奥行き方向は、平面の点灯回路基板６０を挿入するために同一平面にある。
【００５５】
各張出部２３７の軸Ｏに直行する断面形状は台形をしている。台形形状の上底と下底との比は１対２である。台形形状の下底の２個の内角のうち張出部２３７の外面立設角度θ３と内面立設角度θ４とは、８８〜８９度である。
【００５６】
内面立設角度θ４が９０度未満であるため、２個の張出部２３７の先端間隔Ｗ１２は、２個の張出部２３７の根本間隔Ｗ１１よりも広くなっている。点灯回路基板６０の厚み寸法Ｔ２は、先端間隔Ｗ１２より小さく、根本間隔Ｗ１１よりも大きい。
先端間隔Ｗ１２＞点灯回路基板６０の厚み寸法Ｔ２＞根本間隔Ｗ１１
先端間隔Ｗ１２：厚み寸法Ｔ２：根本間隔Ｗ１１＝２０：１０：７
２個の張出部２３７の間にある溝部２３８を奥に行くほど狭くしているので、点灯回路基板６０の嵌め込みに伴い点灯回路基板６０を固定することができる。点灯回路基板６０は嵌め込み固定されるので、内面立設角度θ４は、８０度以上９０度未満が望ましく、８８〜８９度が好適である。
２個の張出部２３７の外側間隔Ｗ１３を大きくして外面立設角度θ３を小さくすれば、張出部２３７の根本が厚くなり張出部２３７が堅固になるが、一方で、溝部２３８の間隔を広げにくくなり溝部２３８に点灯回路基板６０を嵌め込みにくくなる。このため内面立設角度θ４は、８０度以上９０度未満が望ましく、８８〜８９度が好適である。
【００５７】
図１１により、電源部６と外部筐体２の固定方法を説明する。
電源部６を、外部筐体２の筐体開孔端部２１６から筐体内周面部２１５に挿入する。
点灯回路基板６０の両端を溝部２３８に合わせ、点灯回路基板６０を挿入方向に加圧して、点灯回路基板６０の両端を溝部２３８に嵌め込む。さらに点灯回路基板６０を挿入方向に加圧して、２個の張出部２３７の内面をスライドさせながら点灯回路基板６０の両辺を溝部２３８に嵌め込む。点灯回路基板６０は、２個の張出部２３７の反発力により挟持され、電源部６が外部筐体２に固定される。
【００５８】
＊＊＊変形例の説明＊＊＊
＜変形例１（図１２）＞
図１２に示す外部筐体２ａは、筐体主部２０の周囲に複数の外周溝部２２１を形成している。外周溝部２２１は、軸Ｏの方向に形成された断面がコ字形の長溝である。
【００５９】
＜変形例２（図１３）＞
図１３の（ａ）に示す外部筐体２ｂは、筐体主部２０の周囲に複数の外周溝部２２１ａを形成している。外周溝部２２１ａは、軸Ｏの方向に形成された断面がＶ字形の長溝である。
【００６０】
＜変形例３（図１３）＞
図１３の（ｂ）に示す外部筐体２ｃは、筐体主部２０の周囲に複数の外周溝部２２１ｂを形成している。外周溝部２２１ｂは、軸Ｏの方向に形成された断面がＵ字形の長溝である。
【００６１】
＜変形例４（図１４、図１５）＞
図１４、図１５に示す外部筐体２ｄには、接続部２５がなく、代わりに、当接段差部２２２を設けている。
当接段差部２２２は、筐体内周面部２１５から軸Ｏに向けて階段上に突出しているリング状の段差である。
当接段差部２２２の径Ｗ２０は、第２立設筒部４２の最小径Ｗ１５より小さいので、内部筐体４の立設部４５の接続面部４３が当接段差部２２２に当たり、内部筐体４が傾くことがない。
【００６２】
＜変形例５（図１６）＞
図１６に示す内部筐体４ａは、立設部４５ａの高さ寸法Ｌ１４を図９に示した立設部４５の高さ寸法Ｌ１３より長くしたものである。
【００６３】
立設部４５ａは、第１立設筒部４１ａと第２立設筒部４２ａと接続面部４３ａを有する。
第１立設筒部４１ａは、内筒部である。
第２立設筒部４２ａは、外筒部である。
接続面部４３ａは、第１立設筒部４１ａと第２立設筒部４２ａとを接続した底面部分であり、リング形状をしている。
４箇所の接続部２５ａは、内部筐体４ａの接続面部４３ａが当接する寸法と形として形成されており、高さ寸法Ｌ１４が長くなったため、接続部２５ａの当接端面部２５０が下方に下げられている。
【００６４】
外部筐体２の取付段差部２１８と当接端面部２５０との軸Ｏ方向の高さの差Ｌ１５は、立設部４５ａの高さ寸法Ｌ１４より小さいので、内部筐体４ａの第２立設筒部４２ａの上端は取付段差部２１８の高さよりも高い位置にある。
さらに、図１６においても、図１０の（ｂ）に示すＷ１８＞Ｗ１９の関係があるため、図１６に示す内部筐体４ａの場合でも、カバー１が軸Ｏ方向に変形した場合、カバー内周面部１２が第２立設筒部４２の外周に当たり、カバー内周面部１２の変形が規制される。したがって、カバー１の外部筐体２からの外れとカバー１の破壊とが防止できる。
【００６５】
立設部４５ａの高さ寸法Ｌ１４は、内部筐体４に使用された板厚の１０倍であり、図９に示した内部筐体４よりも、光源部５からの放熱が促進される。
立設部４５の高さ寸法Ｌ１３を、放熱性の観点からは、内部筐体４の光源取付部４０の光源配置部４００の軸Ｏの方向の厚さの１０倍以上にするのが好ましい。接続部２５ａをさらに下げることにより、立設部４５ａの高さ寸法Ｌ１４は、内部筐体４に使用された板厚の１５倍あるいは２０倍にすることが可能である。
【００６６】
立設部４５ａの高さ寸法Ｌ１４は、筐体外周面部２１０の高さ寸法Ｌ３の１／４である。
高さ寸法Ｌ１４と高さ寸法Ｌ３の比は、光源部５の発熱量、内部筐体４ａの面積・体積、照明具１０００の重量により、決定されるものである。
立設部４５ａの高さ寸法Ｌ１４をさらに大きくして、高さ寸法Ｌ１４と高さ寸法Ｌ３の比を、１／３、あるいは、１／２としてもよい。逆に、立設部４５ａの高さ寸法Ｌ１４を小さくして、高さ寸法Ｌ１４と高さ寸法Ｌ３の比を、１／５、あるいは１／６としてもよい。
以上のように、図１６の内部筐体４ａは、高さが増加した分、内部筐体４ａの面積と体積が増加し、放熱効果が向上する。
【００６７】
＜変形例６（図１７）＞
図１７に示す内部筐体４は、立設部４５を形成する屈曲部Ｋの数と屈曲部Ｋの屈曲角度を変えたものである。
図１７に示すように、屈曲部Ｋの数は、半径方向に２個以上あればよい。望ましくは、３個以上あることが好ましい。屈曲部Ｋの数が多いほど、限られた狭い空間Ｓ２に放熱面積を増やすことができるので、屈曲部Ｋの数は、放熱性の観点から、４個以上、６個以上、又は、８個以上がより望ましい。
屈曲部Ｋの屈曲角度は、９０度でなくてもよく、鋭角でも、鈍角でもよいし、鋭角と鈍角を組み合わせてもよい。鋭い鋭角にするほど、限られた狭い空間Ｓ２に放熱面積を増やすことができるので、放熱性の観点からは、８０度以下、６０度以下、又は、３０度以下がより望ましい。
また、立設部４５を形成する屈曲部Ｋを曲面で形成してもよい。
図１７の（ｃ）、（ｆ）のように、カバー１に向かって突出した傾斜面４４を形成してもよい。傾斜面４４は反射面として機能する。
【００６８】
＜変形例７（図１８）＞
図１８に示す内部筐体４は、ラッパ形あるいは円錐台の形状をしている。
図１８に示す内部筐体４は、外筒部２１と内筒部２３との間から接続部２５を取り去り、外筒部２１と内筒部２３との間に立設部４５が深く入り込んだ構成を示している。
図１８の場合は、立設部４５の高さ寸法Ｌ１５が筐体外周面部２１０の高さ寸法Ｌ３の１／２である場合を示している。
図１８では、第２立設筒部４２の外周全体が外筒部２１の筐体内周面部２１５に接触している。
図１８の（ａ）では、内部筐体４は２個の屈曲部Ｋを有しており、立設部４５が環状Ｖ字形をしている。
図１８の（ｂ）では、内部筐体４は１個の屈曲部Ｋを有しており、立設部４５が円錐形をしている。
屈曲部Ｋは、半径方向において１箇所以上あればよく、屈曲部Ｋが１箇所の場合でも、立設部４５ａの高さ寸法Ｌ１５を長くすることにより、放熱効果を向上させることができる。
内部筐体４の形状は、図１８の形状に限られず、図９、図１７に示した形状でもよいし、その他の形状でもよい。
【００６９】
＊＊＊その他の構成＊＊＊
実施の形態に開示する照明具１０００は、所謂下半球タイプの電球形ＬＥＤランプであるが、これに限らず全方向タイプ等他の形態の照明具でも構わない。
また、カバー１の形状は、半球形に限らず、ドーム形、山形、釣鐘形、お皿形、平板形、レンズ形、Ｔ形、Ｇ形でも構わない。
さらに、実施の形態に開示する照明具１０００は、カバー１に形成された係合突起部１８と外筒部２１に形成された突起係合溝２２０とが係合する係合構造であるが、外筒部２１に係合突起部が形成され、カバー１に突起係合溝が形成されてもよい。この場合、外筒部２１に形成された係合突起部とカバー１に形成された突起係合溝とによって係合構造をなす。
【００７０】
＊＊＊照明具１０００の特徴＊＊＊
以下に、前述した照明具１０００の特徴点を説明する。
照明具１０００は、少なくとも一部が外郭部（筐体外周面部２１０）を構成する筒形の第１筐体（外部筐体２）と、第１筐体（外部筐体２）の内部に配置される第２筐体（内部筐体４）とを備えている。
第２筐体（内部筐体４）は、光源部５が配置される光源取付部４０と光源取付部４０の周縁部４０２から立設した立設部４５とを有する。
光源取付部４０と立設部４５とはともに前記第１筐体（外部筐体２）より比重が大きい板材が成形されている。
そして、立設部４５の高さ寸法Ｌ１３が光源配置部４００の厚さ以上であり外郭部（筐体外周面部２１０）の高さ寸法Ｌ３の１／２以下である。
【００７１】
第１筐体（外部筐体２）は、少なくとも一部が外郭部（筐体外周面部２１０）を構成する筒形の第１筐体筒部（外筒部２１）と、第１筐体筒部（外筒部２１）の内部に形成された第２筐体筒部（内筒部２３）と、第１筐体筒部（外筒部２１）と第２筐体筒部（内筒部２３）とを部分的に接続するように形成された接続部２５とを備えている。
第２筐体筒部（内筒部２３）は、一端側において第１筐体筒部（外筒部２１）と離間し他端側において第１筐体筒部（外筒部２１）と接続した状態で第１筐体筒部（外筒部２１）の内部に形成されている。
【００７２】
第２筐体（内部筐体４）は、光源取付部４０が第１筐体（外部筐体２）の一端側を向くように第１筐体（外部筐体２）の内部に配置されている。
【００７３】
第２筐体（内部筐体４）は、第１筐体（外部筐体２）に取り付けられた状態で、光源取付部４０が第２筐体筒部（内筒部２３）の一端側に形成された開口を覆っている。
【００７４】
第１筐体（外部筐体２）は、光源部５を覆う透光性のカバー１が取付けられるカバー取付部２１７が一端側に形成された。
【００７５】
カバー１は、係合取付部１６に係合突起部１８が形成されており、
第１筐体（外部筐体２）は、カバー取付部２１７に突起係合溝２２０が形成されており、
係合突起部１８は、カバー１が第１筐体部（外部筐体２）に取り付けられた状態で突起係合溝２２０と係合する。
【００７６】
第１筐体（外部筐体２）は、他端側の開口を覆うように配置される口金３が取付けられる口金取付部２６が他端側に形成されている。
【００７７】
第１筐体（外部筐体２）は、樹脂材料を用いて形成されている。
第２筐体（内部筐体４）は、金属材料を用いて形成されている。
【００７８】
＊＊＊照明装置３０００の構成（図１９）＊＊＊
図１９は、照明装置３０００を示す図である。
照明装置３０００は、取付部４０００の取付孔５０００に挿入されている。
照明装置３０００は、照明器具２０００と照明具１０００とを有する。
照明器具２０００は、器具本体２００１と受金２００２とを有する。
受金２００２は、照明具１０００の口金３を受けるソケットである。
前述した照明具１０００は受金２００２に装着されて使用される。
【００７９】
＊＊＊実施の形態の効果＊＊＊
照明具１０００は、口金３以外の外郭部に金属材料を用いない電球形ＬＥＤランプであり、透光性のカバー１と外部筐体２とがともに樹脂材料で形成されているので、軽量化が達成できる。このため、取り付けられる照明器具２０００の構造的負担の軽減、包装の簡素化、輸送効率の改善が可能となる。
合わせて、外郭部に金属材料を用いないことから、従来のように複雑な構造を要せずに外来ノイズに対する耐性（絶縁耐力）を確保できる。
また、構成部品の数が減り簡素な構成となるので、材料コスト、製品の組立性、製造品質、製造コスト、リサイクル性などの向上が図れる。
また、外郭部を構成する各部品の構造が簡素になることから成形性が向上し、歩留まりの改善にもつながる。
また、立設部４５を有する内部筐体４を用いているので、立設部４５がない場合に比べて、放熱性が向上するとともに、立設部４５の第２立設筒部４２により外部筐体２の剛性を補強することができる。また、金属板が屈曲した状態の立設部４５を有しているので、重量をそれほど増加せせることなく照明具１０００の狭い空間内において放熱性のための面積を確保することができる。
また、立設部４５の第２立設筒部４２の端部が、カバー１の係合取付部１６の内側に存在するので、カバー１の脱落と破壊とを防止することができる。
【００８０】
＊＊＊実施の形態の補足＊＊＊
【００８１】
実施の形態は、好ましい形態の例示であり、本発明の技術的範囲を制限することを意図するものではない。実施の形態は、部分的に実施してもよいし、他の形態と組み合わせて実施してもよい。また、前述した実施の形態を組み合わせてもよい。
【符号の説明】
【００８２】
１０００，１０００ａ，１０００ｂ，１０００ｃ  照明具、１  カバー、１０  カバー主部、１１  カバー外周面部、１２  カバー内周面部、１３  頂部、１４  下端部、１６
係合取付部、１７  カバー筒部、１７０  筒外周面部、１７１  筒下面部、１８  係合突起部、１８０  突起外周面部、１８１  突起上面部、１８２  突起側面部、１８３  突起下面部、２，２ａ，２ｂ，２ｃ，２ｄ  外部筐体、２０  筐体主部、２１  外筒部、２１０  筐体外周面部、２１１  第１筐体外周面部、２１２  第２筐体外周面部、２１３  第３筐体外周面部、２１４  第４筐体外周面部、２１５  筐体内周面部、２１６  筐体開孔端部、２１７  カバー取付部、２１８  取付段差部、２１９  突起挿入溝、２２０  突起係合溝、２２１，２２１ａ，２２１ｂ  外周溝部、２２２  当接段差部、２３  内筒部、２３０  第１開孔端部、２３１  内筒外周面部、２３２  内筒内周面部、２３３  リブ、２３４  突出部、２３５  ネジ孔、２３６  保持部、２３７  張出部、２３８  溝部、２５，２５ａ  接続部、２５０  当接端面部、２６  口金取付部、２６０  第２開孔端部、３  口金、３０  ネジ部、３１  アイレット部、４，４ａ  内部筐体、４０  光源取付部、４００  光源配置部、４０１  配置領域、４０２  周縁部、４０４  出力電線対挿通孔、４０３  ネジ挿通孔、４１，４１ａ  第１立設筒部、４２，４２ａ  第２立設筒部、４３，４３ａ  接続面部、４４  傾斜面、４５，４５ａ  立設部、５  光源部、５０  光源回路基板、５００  実装部、５０１  熱伝達部、５０２  出力電線対挿通孔、５０３  ネジ挿通孔、５１  光源素子、６  電源部、６０  点灯回路基板、６１  点灯回路部品、７  ネジ、８  接着剤、９  電線、９０  入力電線対、９１  出力電線対、２０００  照明器具、２００１  器具本体、２００２  受金、３０００  照明装置、４０００  取付部、５０００  取付孔。
【図１】
2017188192.tif 000003
【図２】
2017188192.tif 000004
【図３】
2017188192.tif 000005
【図４】
2017188192.tif 000006
【図５】
2017188192.tif 000007
【図６】
2017188192.tif 000008
【図７】
2017188192.tif 000009
【図８】
2017188192.tif 000010
【図９】
2017188192.tif 000011
【図１０】
2017188192.tif 000012
【図１１】
2017188192.tif 000013
【図１２】
2017188192.tif 000014
【図１３】
2017188192.tif 000015
【図１４】
2017188192.tif 000016
【図１５】
2017188192.tif 000017
【図１６】
2017188192.tif 000018
【図１７】
2017188192.tif 000019
【図１８】
2017188192.tif 000020
【図１９】
2017188192.tif 000021